(57)【特許請求の範囲】
【請求項１】
取付ベースとこの取付ベースの両側部より立ち上げた両側板とこの両側板の各一側部に設けた湾曲凹部とを有し、前記取付ベースを装置本体側へ取り付けた取付部材と、背板とこの背板より折り曲げられた両側板と頂板及び前記両側板より内側へ折り曲げた抱持部とを有し、この両側板の一端部側を前記取付部材の両側板へヒンジピンを介して回動可能に取り付けた原稿圧着板の支持部材と、この支持部材内部に前記取付部材側に向けて摺動可能に収装されたカムスライダーと、このカムスライダーの端部に設けたカム部と接し前記取付部材の両側板間に軸架された受圧ピンと、この受圧ピンと前記カムスライダーとの間に塗布させた潤滑用グリスと、前記カムスライダーと前記支持部材の自由端側との間に弾設収容されたコイルスプリングとで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする、原稿圧着板開閉装置。
【請求項２】
取付ベースとこの取付ベースの両側部より立ち上げた両側板とこの両側板の各一側部に設けた湾曲凹部とを有し、前記取付ベースを装置本体側へ取り付けた取付部材と、背板とこの背板より折り曲げた両側板と頂板及び前記両側板より内側へ折り曲げた抱持部とを有し、この両側板の一端部側を前記取付部材の両側板へヒンジピンを介して回動可能に取り付けた原稿圧着板の支持部材と、この支持部材内部に前記取付部材側に向けて摺動可能に収装されたカムスライダーと、このカムスライダーの端部に設けたカム部と接し前記取付部材の両側板間に軸架された受圧ピンと、この受圧ピンと前記カムスライダーとの間に塗布させた潤滑用グリスと、前記カムスライダーと前記支持部材の自由端側との間に弾設収装されたコイルスプリングと、前記コイルスプリング内へ挿入されピストン杆の先端を前記原稿圧着板を閉じる際に当該支持部材の所定の回動角度より前記カムスライダーへ当接させることによりダンパー動作をするダンパー手段とで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする、原稿圧着板開閉装置。
【請求項３】
少なくとも取付ベースとこの取付ベースの両側より立ち上げた両側板とこの両側板の各一側部に設けた湾曲凹部とを有し、前記取付ベースを装置本体側へ取り付ける取付部材と、少なくとも背板とこの背板より折り曲げた両側板とこの両側板より内側へ折り曲げた抱持部とを有し、この両側板を前記取付部材の両側板へヒンジピンを介して回動可能に連結した支持部材と、原稿圧着板を取り付ける背板とこの背板より折り曲げた両側板と頂板を有し、前記支持部材の両側板の自由端側に連結ピンを介して該支持部材とは異なる方向へその両側板を回動可能となるように軸着したリフト部材と、このリフト部材の前記支持部材に対する軸着部側であって前記リフト部材の回動時に前記連結ピンを支点に旋回する位置の両側板間に取り付けられた作動部材と、前記取付部材側の両側板間にヒンジピンとは異なる位置に軸架させた受圧ピンと、この受圧ピンにカム部を当接させて前記支持部材内部に摺動可能に収装されたカムスライダーと、このカムスライダーと前記受圧ピンとの間に塗布させた潤滑用グリスと、前記支持部材内の自由端側に前記作動部材に当接させて摺動可能に収装されたスプリング受けカム部材と、前記カムスライダーと前記スプリング受けカム部材との間に弾設させることにより、前記リフト部材を支持部材と重なり合う方向へ回動附勢させつつ前記支持部材を少なくとも原稿圧着板の開成方向へ附勢させるコイルスプリングとで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする、原稿圧着板開閉装置。
【発明の詳細な説明】
【０００１】
【発明の属する技術分野】
この発明は、複写機や印刷機等の原稿圧着板の開閉用として用いて好適な、原稿圧着板開閉装置に関する。
【０００２】
【従来の技術】
従来、装置本体側へ取り付けられる取付部材と、この取付部材へヒンジピンを介して回動可能に取り付けられる原稿圧着板の支持部材と、この支持部材内部に摺動可能に収装されたスライダーと、このスライダーと接し前記取付部材の両側板間に固定されたカム部材と、前記スライダーと前記支持部材の自由端側との間に弾設されたコイルスプリングとで構成した原稿圧着板開閉装置が公知である。
【０００３】
このカム部材とスライダーを用いる原稿圧着板開閉装置は、カム部材のカム面とこのカム面上を圧接状態で摺動するスライダーとの間の滑りを良くするため、カム部材のカム面の表面に潤滑用のグリスを塗布させる必要があるが、コピーを取るために原稿をコンタクトガラス上へ載置セットし原稿圧着板の開閉操作を行うと、カム部材の潤滑用グリス付着面が外部へ露出しているため、コンタクトガラス上へ載置した原稿の端部がカム部材に接触し潤滑用グリスが附着して原稿を汚したりする恐れがあるという問題があった。
【０００４】
【発明が解決しようとする課題】
この発明は、上述した従来技術の問題点に鑑みなされたもので、その目的とするところは、取付部材側に取り付けるカム部材を省略して、潤滑用グリスが付着した部分がコンタクトガラス上へ載置した原稿側へ極力露出しないように構成した原稿圧着板開閉装置を提供せんとするにある。
【０００５】
【課題を解決するための手段】
上述した目的を完成するためにこの発明は、取付ベースとこの取付ベースの両側部より立ち上げた両側板とこの両側板の各一側部に設けた湾曲凹部とを有し、前記取付ベースを装置本体側へ取り付けた取付部材と、背板とこの背板より折り曲げられた両側板と頂板及び前記両側板より内側へ折り曲げた抱持部とを有し、この両側板の一端部側を前記取付部材の両側板へヒンジピンを介して回動可能に取り付けた原稿圧着板の支持部材と、この支持部材内部に前記取付部材側に向けて摺動可能に収装されたカムスライダーと、このカムスライダーの端部に設けたカム部と接し前記取付部材の両側板間に軸架された受圧ピンと、この受圧ピンと前記カムスライダーとの間に塗布させた潤滑用グリスと、前記カムスライダーと前記支持部材の自由端側との間に弾設収容されたコイルスプリングとで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする。
【０００６】
この発明はまた、取付ベースとこの取付ベースの両側部より立ち上げた両側板とこの両側板の各一側部に設けた湾曲凹部とを有し、前記取付ベースを装置本体側へ取り付けた取付部材と、背板とこの背板より折り曲げた両側板と頂板及び前記両側板より内側へ折り曲げた抱持部とを有し、この両側板の一端部側を前記取付部材の両側板へヒンジピンを介して回動可能に取り付けた原稿圧着板の支持部材と、この支持部材内部に前記取付部材側に向けて摺動可能に収装されたカムスライダーと、このカムスライダーの端部に設けたカム部と接し前記取付部材の両側板間に軸架された受圧ピンと、この受圧ピンと前記カムスライダーとの間に塗布させた潤滑用グリスと、前記カムスライダーと前記支持部材の自由端側との間に弾設収装されたコイルスプリングと、前記コイルスプリング内へ挿入されピストン杆の先端を前記原稿圧着板を閉じる際に当該支持部材の所定の回動角度より前記カムスライダーへ当接させることによりダンパー動作をするダンパー手段とで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする。
【０００７】
そしてこの発明は、少なくとも取付ベースとこの取付ベースの両側より立ち上げた両側板とこの両側板の各一側部に設けた湾曲凹部とを有し、前記取付ベースを装置本体側へ取り付ける取付部材と、少なくとも背板とこの背板より折り曲げた両側板とこの両側板より内側へ折り曲げた抱持部とを有し、この両側板を前記取付部材の両側板へヒンジピンを介して回動可能に連結した支持部材と、原稿圧着板を取り付ける背板とこの背板より折り曲げた両側板と頂板を有し、前記支持部材の両側板の自由端側に連結ピンを介して該支持部材とは異なる方向へその両側板を回動可能となるように軸着したリフト部材と、このリフト部材の前記支持部材に対する軸着部側であって前記リフト部材の回動時に前記連結ピンを支点に旋回する位置の両側板間に取り付けられた作動部材と、前記取付部材側の両側板間にヒンジピンとは異なる位置に軸架させた受圧ピンと、この受圧ピンにカム部を当接させて前記支持部材内部に摺動可能に収装されたカムスライダーと、このカムスライダーと前記受圧ピンとの間に塗布させた潤滑用グリスと、前記支持部材内の自由端側に前記作動部材に当接させて摺動可能に収装されたスプリング受けカム部材と、前記カムスライダーと前記スプリング受けカム部材との間に弾設させることにより、前記リフト部材を支持部材と重なり合う方向へ回動附勢させつつ前記支持部材を少なくとも原稿圧着板の開成方向へ附勢させるコイルスプリングとで構成し、前記原稿圧着板を閉じた時に前記支持部材の前記抱持部の前記受圧ピン側が前記湾曲凹部内へ嵌入するように構成することにより、前記原稿圧着板をコンタクトガラス上への原稿の載置角度まで開いた時に前記受圧ピンが前記コンタクトガラス側へ極力露出しないように成したことを特徴とする。
【０００８】
【発明の実施の形態】
図面はこの発明の一実施の形態を示す。１は取付ベース１ａとこの取付ベース１ａの両側より立ち上げた両側板１ｂ，１ｂを有する導電性材質の金属プレート製の取付部材であり、想像線で示した複写機や印刷機の装置本体Ａ上に取り付けられている。尚、両側板１ｂ、１ｂには、それぞれに湾曲凹部１ｄ，１ｄが形成されている。３は背板３ａとこの背板３ａとより折り曲げた両側板３ｂ，３ｂと頂板３ｃを有する同じく導電性を有する金属プレート製の支持部材であり、両側板３ｂ，３ｂの一端部側をヒンジピン２を介して、取付部材１の両側板１ｂ，１ｂへ回動可能に軸支させている。この支持部材３の背板３ａにはこれも想像線で示した原稿圧着板Ｂの後部が取り付けられている。支持部材３の両側板３ｂ，３ｂがヒンジピン２によって軸支される部分には、ひょうたん形状の枢支孔３ｄ，３ｄ（図１に一方のみ表示）が設けられ、支持部材３のヒンジピン２に対する着脱が可能な構成となっている。尚、ヒンジピン２が取付部材１の両側板１ｂ，１ｂ間に支持される部分には、例えばＰＯＭのような合成樹脂製の非導電性材料から成る軸受部材４，５がそれら自身が非回転となるように取り付けられており、ヒンジピン２はこれらの軸受部材４，５の軸受孔４ａ，５ａへ挿入支持されている。軸受部材４，５はそれぞれ断面略四角形状の取付部４ｂ，５ｂを有し、取付部材１の両側板１ｂ，１ｂに設けた四角形状の取付孔１ｃ，１ｃ（図３と図４に一方のみ表示）へ挿入固定されている。尚、軸受孔４ａ，５ａの形状及び軸受部材４，５の取付部４ｂ，５ｂの形状には限定はなく、実施の形態のものに限定されない。それは三角、五角、Ｄ型形状、小判形状等さまざまなものが考えられる。また、軸受部材の材料も、ＰＯＭに限定されない。それは例えばセラミックその他の非電導性材料、或は金属製の導電性材料等のものが適宜必要に応じて用いられる。そして、取付部材１の両側板の１ｂ，１ｂの一方と、これと対向する取付部材３の両側板３ｂ，３ｂの一方のものの、ヒンジピン２によって互いの連結される部分には、ヒンジピン２に環巻させてコイルスプリング状の導電部材７が側板１ｂと側板３ｂに接触して設けられ、取付部材１と支持部材３の間の電気的な導通性を維持している。
【０００９】
取付部材１の両側板１ｂ，１ｂにはさらに、ヒンジピン２を取り付けた位置とは異なる位置（つまりここでは前方位置）に受圧ピン６が非回転に軸架固定されている。
【００１０】
支持部材３は、上述したように背板３ａ，両側板３ｂ，３ｂ及び頂板３ｃの他に、抱持部３ｅ，３ｅ（一方のみ表示）を有し、内部に抱持部３ｅ，３ｅで抱えてカムスライダー８を摺動可能に収装させており、カムスライダー８の一方向へ傾斜したカム部８ａは受圧ピン６と当接している。
【００１１】
カムスライダー８と支持部材３の頂板３ｃとの間には、コイルスプリング９が弾設され、カムスライダー８を受圧ピン６側へ押圧させると共に、カムスライダー８を介して支持部材３を原稿圧着板Ｂの開成方向へ附勢させ、或は所定の閉成角度からは閉成方向へ附勢させている。
【００１２】
頂板３ｃには挿通孔３ｆが設けられ、この挿通孔３ｆより例えば公知構成のピストン式の粘性流体を用いたダンパー手段１０が、ピストン杆１０ａ側を先にしてコイルスプリング９内に挿入されると共に、その取付板１２を着脱可能に頂板３ｃへビス１１を用いて取り付けられることにより、ダンパー手段１０を脱着可能にしてある。
【００１３】
そして、支持部材３の背板３ａに、原稿圧着板Ｂの開成操作時において、支持部材３内を摺動するスライダー８が所定の開成角度から当接する部分には、平面帯状の凸条から成るブレーキ手段３ｇが設けられている。尚、このブレーキ手段３ｇの設置箇所に限定はない。必要に応じてこれを省略することもできる。
【００１４】
今、図１と図３に示したように、原稿圧着板を閉じた状態においては、コイルスプリング９の作用線は、受圧ピン６の軸芯と一致していることから、支持部材３は原稿圧着板Ｂの開閉いずれの方向にも回動を附勢されておらず、原稿圧着板Ｂは安定した閉成状態を保っている。この状態において、図１、図３、図７等に示したように、支持部材３の抱持部３e, ３eの受圧ピン６側は、取付部材１の両側板１ｂ，１ｂに設けた湾曲凹部１ｄ，１ｄ内に嵌入している。そして、ダンパー手段１０のピストン杆１０ａは、カムスライダー８の内底部と当接した状態にある。尚、ここのところは、コイルスプリング９の作用線を受圧ピン６の下方へずらすことにより、或はカムスライダー８の一端部に設けられたカム部８ａの形状を変えることにより、原稿圧着板Ｂの開成方向へ附勢させることもできる。
【００１５】
この図１と図３に示した状態から原稿圧着板Ｂを開くと、カムスライダー８のカム部８ａの受圧ピン６に対する当接位置が該カム部８ａの高い方から低い方へ移動することから、コイルスプリング９の弾力により原稿圧着板Ｂは、その本来の重量を減殺された状態で開かれる。開いた原稿圧着板Ｂより手を離すと、受圧ピン６の当接位置がコイルスプリング９によって一方向へ摺動を附勢されているカムスライダー８のカム部８ａの高い方へ移動する抵抗に遭遇することにより、原稿圧着板Ｂが支持部材３を介してヒンジピン２の周りに発生させる回転モーメントと、コイルスプリング９の弾力と、受圧ピン６に当接しているカムスライダー８とによって創出される回転トルクが均衡する。実施の形態のものは原稿圧着板Ｂの３０°以上の開成角度で、原稿圧着板Ｂを安定停止保持する。この際にはダンパー手段１０のピストン杆１０ａの先端はカムスライダー８の内頂部より離れている。
【００１６】
原稿圧着板Ｂの開成操作に伴い、ブレーキ手段は３ｇは、カムスライダー８と圧接してブレーキ作用を行い原稿圧着板Ｂが急激に開かれるのを防止し、或は原稿圧着板Ｂの安定保持許容範囲を増大させる機能を営む。原稿圧着板Ｂを閉じる際には、慣性による勢いがつくが、所定の閉成角度（実施の形態のもので約２０°）近辺で、ダンパー手段１０のピストン杆１０ａの先端がカムスライダー８の内底部に当接し始め、ダンパーがきき始めることにより、支持部材３の回転を制御し、原稿圧着板Ｂが急激に閉じられるのを防止するものである。
【００１７】
尚、この発明は図面に示した原稿圧着板開閉装置にのみ適用されるものではなく、他の例えば支持部材の自由端側へ原稿圧着板Ｂのリフト部材を軸着させたタイプのものにも、そのまま適用できる。その場合には、コイルスプリング９の一端部は支持部材３の頂板３ｃに当接するのではなく、リフト部材の支点を越えた側に当接され、リフト部材を支持部材の背板へ重なる方向へ押圧することになる。特許請求の範囲で支持部材の自由端側と記載しているのはこの意味においてである。
【００１８】
以上の実施の形態の場合には、カムスライダー８のカム部８ａに潤滑用グリスを塗布するが、その潤滑用グリスが受圧ピン６の表面に付着するが、とくに図４や図９に示したように、原稿圧着板Ｂを開いた際に、受圧ピン６がほとんどコンタクトガラス１３側へ露出しないので、このコンタクトガラス１３上へコピー或は印刷のために載置した原稿Ｃの端部が潤滑用グリスの付着した受圧ピン６と接触して汚れる恐れはない。
【００１９】
図７はこの発明のほかの実施の形態を示し、図面によれば、図１乃至図６のものに較べてカムスライダー８と支持部材３の自由端側との間のダンパーを省略してある。このような構成の原稿圧着板開閉装置にもこの発明を実施することができる。
【００２０】
図８乃至図９は、さらにこの発明の他の実施の形態を示し、支持部材１５の背板１５ａの両側より折り曲げた両側板１５ｂ，１５ｂ（一方のみ表示）の各自由端側には、背板１６ａより折り曲げた両側板１６ｂ，１６ｂと頂板１６ｃを有するリフト部材１６が連結ピン１７を介してその両側板１６ｂ，１６ｂを支持部材１５とは反対方向へ回動可能となるように軸支されている。リフト部材１６の頂板１６ｃは、背板１６ａに対して余角をもって折り曲げられ、その両端部より突設した係止片（図示せず）を両側板１６ｂ，１６ｂに設けた係止孔（図示せず）へ係止させており、この傾斜した頂板１６ｃへコイルスプリング１８の端部を当接させることにより、コイルスプリング１８は予めリフト部材１６の回動方向へ屈曲させられている。
【００２１】
このように実施すると、リフト機能を持つ原稿圧着板開閉装置の部品点数を省略して、製作コストの安いものを提供できた上で、図９に示したように、原稿圧着板Ｂのリフト操作時にリフト部材１６の操作がスムーズに行くという利点がある。
【００２２】
この発明はこのような構成の原稿圧着板開閉装置にも実施できる。
【００２３】
図１０乃至図１１はこの発明のさらに他の実施の形態を示し、コイルスプリング２０の一端部には摺動可能にスプリング受けカム部材２１が被嵌されており、このスプリング受けカム部材２１のカム面２１ａにリフト部材２２の支点を越えた両側板２２ｂ，２２ｂ（一方のみ表示）に軸架させた作動部材２３が当接している。
【００２４】
したがって、コイルスプリング２０はスプリング受けカム部材２１のカム面２１ａが当接している作動部材２３を介してリフト部材２２を支持部材２４と重なり合う方向へ押圧させつつ該支持部材２４を原稿圧着板Ｂの開成方向へ附勢させているが、厚物原稿Ｄに対処するためにリフト部材２２を反転させようとする場合には、作動部材２３が連結ピン２５を支点に揺動して、スプリング受けカム部材２１をコイルスプリング２０の弾力に抗して押すことにより、図１１に示したように、原稿圧着板Ｂの反転が許容され、コンタクトガラス２６上より原稿圧着板Ｂで厚物原稿Ｄの上面を水平に覆うことができるが、厚物原稿Ｄを取り去るか、原稿圧着板Ｂを開く方向へ押すことにより、リフト部材２２は元の支持部材２４と重なり合う位置に戻るものである。
【００２５】
この発明はこのような構成の原稿圧着板開閉装置にも実施できるものである。
【００２６】
その他、以上の実施の形態では、カムスライダー及びスプリング受けカム部材は、いずれも支持部材の両側板より折り曲げた抱持板で摺動可能に抱持する構成となっているが、これを両側板の間で凹凸嵌合にしても良い。
【００２７】
【発明の効果】
この発明は以上のように構成したので、次のような効果を奏し得る。
【００２８】
請求項１のように構成すると、コンタクトガラス上へコピーや印刷のために載置した原稿の端部が潤滑用グリスで汚れるのを防止できた上で、構造が簡単であることから、製作コストを下げ、原稿圧着板を中間開成角度で安定的に停止保持させることができ、さらに原稿圧着板の急激な落下を防止することができるという効果を奏し得る。
【００２９】
請求項２のように構成すると、請求項１と同じ効果を奏した上で、とくに原稿自動送り装置付きの重量のある原稿圧着板が急激に閉じるのを防止することができるものである。
【００３０】
請求項３のように構成すると、請求項１と同じ効果を奏した上で、原稿圧着板のリフト機能を有する開閉装置を可及的に安価に製造できるという効果を奏し得る。
【図面の簡単な説明】
【図１】  この発明に係る原稿圧着板開閉装置の側面図である。
【図２】  図１に示した原稿圧着板開閉装置の平面図である。
【図３】  図２のＡ−Ａ線断面図である。
【図４】  図３の状態から原稿圧着板を開いて見た側断面図である。
【図５】  図２のＡ視の部分の拡大平面図である。
【図６】  軸受の斜視図である。
【図７】  この発明に係る原稿圧着板開閉装置の他の実施の形態を示す側断面図である。
【図８】  この発明に係る原稿圧着板開閉装置のさらに他の実施の形態を示す側断面図である。
【図９】  図８に示した原稿圧着板開閉装置の使用例を示す側断面図である。
【図１０】  この発明に係る原稿圧着板開閉装置のさらに他の実施の形態を示す側断面図である。
【図１１】  図１０に示した原稿圧着板開閉装置の使用例を示す側断面図である。
【符号の説明】
Ａ  装置本体
Ｂ  原稿圧着板
１  取付部材
１ａ  取付ベース
１ｂ  両側板
１ｄ  湾曲凹部
２  ヒンジピン
３  支持部材
３ａ  背板
３ｂ  両側板
３ｃ  頂板
３e  抱持部
６  受圧ピン
８  カムスライダー
８ａ  カム部
９  コイルスプリング
１０  ダンパー手段
１０ａ  ピストン杆
１５  支持部材
１５ａ  背板
１５ｂ  両側板
１５ｃ  頂板
１６  リフト部材
１６ａ  背板
１６ｂ  側板
１６ｃ  頂板
１７  連結ピン
１８  コイルスプリング
２０  コイルスプリング
２１  スプリング受けカム部材
２１ａ  カム面
２２  リフト部材
２３  作動部材
２４  支持部材
２５  連結ピン
【図１】
0003899213.tif 000002
【図２】
0003899213.tif 000003
【図３】
0003899213.tif 000004
【図４】
0003899213.tif 000005
【図５】
0003899213.tif 000006
【図６】
0003899213.tif 000007
【図７】
0003899213.tif 000008
【図８】
0003899213.tif 000009
【図９】
0003899213.tif 000010
【図１０】
0003899213.tif 000011
【図１１】
0003899213.tif 000012